(57)【要約】【課題】  消費電力をより節減することができる携帯型のデジタル放送受信機を提供する。【解決手段】  映像処理部は、受信された放送データに含まれる映像データをデコードするとともに、デコードによって得られた映像を出力する。音声処理部は、受信された放送データに含まれる音声データをデコードするとともに、デコードによって得られた音声を出力する。条件格納部１４は、映像条件と、音声条件とを格納する。判定部１３は、映像条件が満たされたか否か、および、音声条件が満たされたか否かを判定する。給電制御部１５は、映像処理部および音声処理部への給電を制御し、映像条件が満たされたと判定された場合、映像処理部への給電を停止し、音声条件が満たされたと判定された場合、音声処理部への給電を停止する。【選択図】  図１
2005094354.tif 000002
【特許請求の範囲】
【請求項１】
放送される番組の映像データおよび音声データと、放送される番組に関する情報を示す番組データとを含む放送データを受信する携帯型のデジタル放送受信機であって、
受信された放送データに含まれる映像データをデコードする映像デコード部と、
受信された放送データに含まれる音声データをデコードする音声デコード部と、
番組の映像を停止する条件である映像条件と、番組の音声を停止する条件である音声条件とを格納する条件格納部と、
前記映像条件が満たされたか否か、および、前記音声条件が満たされたか否かを判定する判定部と、
前記映像デコード部および前記音声デコード部への給電を制御し、前記映像条件が満たされたと判定された場合、前記映像デコード部への給電を停止し、前記音声条件が満たされたと判定された場合、前記音声デコード部への給電を停止する給電制御部とを備える、デジタル放送受信機。
【請求項２】
前記映像条件は、所定の内容の放送データを受信した場合に映像を停止することを示し、
前記音声条件は、所定の内容の放送データを受信した場合に音声を停止することを示し、
前記判定部は、受信された放送データに含まれる番組データに基づいて放送内容を判断し、判断結果に基づいて、前記映像条件が満たされたか否か、および、前記音声条件が満たされたか否かを判定する、請求項１に記載のデジタル放送受信機。
【請求項３】
前記映像条件は、現在時刻が所定の時刻である場合に映像を停止することを示し、
前記音声条件は、現在時刻が所定の時刻である場合に音声を停止することを示し、
前記判定部は、現在時刻に基づいて、前記映像条件が満たされたか否か、および、前記音声条件が満たされたか否かを判定する、請求項１に記載のデジタル放送受信機。
【請求項４】
前記給電制御部は、前記判定部によって前記映像条件が満たされたと判定される状態から満たされないと判定される状態へと変化した場合、前記映像デコード部への給電を再開し、前記判定部によって前記音声条件が満たされたと判定される状態から満たされないと判定される状態へと変化した場合、前記音声デコード部への給電を再開する、請求項１に記載のデジタル放送受信機。
【請求項５】
前記映像データおよび前記音声データには、デコードを行うべきタイミングを示すデコードタイミングデータが含まれており、
前記給電制御部は、前記映像デコード部への給電を再開する場合、受信された映像データに含まれているデコードタイミングデータにより示されるタイミングで給電を再開し、前記音声デコード部への給電を再開する場合、受信された音声データに含まれているデコードタイミングデータにより示されるタイミングで給電を再開する、請求項４に記載のデジタル放送受信機。
【請求項６】
前記映像デコード部および前記音声デコード部へ電力を供給する電池と、
前記電池の残量を検出する残量検出部とをさらに備え、
前記条件格納部は、前記映像条件および前記音声条件の少なくとも一方について、前記残量検出部による検出結果に応じて異なる条件を格納する、請求項１に記載のデジタル放送受信機。
【発明の詳細な説明】
【技術分野】
【０００１】
本発明は、デジタル放送受信機に関し、より特定的には、携帯型のデジタル放送受信機に関する。
【背景技術】
【０００２】
従来から、携帯型のデジタル放送受信機に関する種々の技術が提案されている。電池電源を用いる携帯機器にとっては長時間電力を確保することが重要であることから、携帯型のデジタル放送受信機についても電力の節減に関する技術が多く提案されている。
【０００３】
携帯型のデジタル放送受信機において電力節減を図る技術として、ユーザが電源を切り忘れた場合に、自動的に電源を切る技術が提案されている（例えば、特許文献１参照）。この技術は、放送が休止されている際（典型的には深夜の時間帯）に、一定時間ユーザからの入力がなかった場合に表示装置の電源を切るというものである。
【０００４】
一方、デジタル放送では、１つのチャンネルで複数種類のサービスが提供されていると言える。大別すると、映像情報および音声情報によって提供されるＡＶサービスと、文字情報等によって提供される情報サービスである。通常、デジタル放送では、これらのサービスが同時にユーザに提供される。つまり、デジタル放送受信機はこれらの情報を同時に受信し、同時に受信された各情報は同時に表示装置やスピーカによって出力される。
【特許文献１】特開２００２−３００４９０号公報
【発明の開示】
【発明が解決しようとする課題】
【０００５】
上述したように、携帯機器は電池電源を用いているので、連続して使用できる時間に制限がある。それゆえ、携帯機器においては、使用時間をできるだけ長くすること、すなわち、電力消費を抑えることが非常に重要である。この観点から、携帯機器の電力節減を図るための従来の技術は、必ずしも十分であるとは言えなかった。例えば、上述した、ユーザの電源切り忘れに対して自動的に電源を切る技術では、電力消費を抑えることはできるものの、実際にユーザが使用している場合にその使用時間を伸ばすことはできない。
【０００６】
また、デジタル放送では、上述した複数のサービスが同時にユーザに提供されるものの、全てのサービスが必ずしもユーザにとって必要であるとは限らない。例えば、ニュース番組の場合、ユーザは音声のみを聞くことができればよいと考える場合もある。また、例えば、電車内において携帯型のデジタル放送受信機を利用する場合には、ユーザは音声を消して映像のみで番組を楽しむことも考えられる。このような場合には、ユーザにとって必要でない情報が出力されていることとなり、不要な電力を消費することとなっていた。
【０００７】
それゆえ、本発明の目的は、消費電力をより節減することができる携帯型のデジタル放送受信機を提供することである。
【課題を解決するための手段】
【０００８】
上記目的を達成するために、本発明のデジタル放送受信機は、以下の特徴を有する。すなわち、本発明は、放送される番組の映像データおよび音声データと、放送される番組に関する情報を示す番組データとを含む放送データを受信する携帯型のデジタル放送受信機である。デジタル放送受信機は、映像デコード部と、音声デコード部と、条件格納部と、判定部と、給電制御部とを備えている。映像デコード部は、受信された放送データに含まれる映像データをデコードする。音声デコード部は、受信された放送データに含まれる音声データをデコードする。条件格納部は、番組の映像を停止する条件である映像条件と、番組の音声を停止する条件である音声条件とを格納する。判定部は、映像条件が満たされたか否か、および、音声条件が満たされたか否かを判定する。給電制御部は、映像デコード部および音声デコード部への給電を制御し、映像条件が満たされたと判定された場合、映像デコード部への給電を停止し、音声条件が満たされたと判定された場合、音声デコード部への給電を停止する。
【０００９】
なお、映像条件は、典型的には、所定の内容の放送データを受信した場合に映像を停止することを示す。また、音声条件は、典型的には、所定の内容の放送データを受信した場合に音声を停止することを示す。このとき、判定部は、受信された放送データに含まれる番組データに基づいて放送内容を判断し、判断結果に基づいて、映像条件が満たされたか否か、および、音声条件が満たされたか否かを判定する。
【００１０】
なお、映像条件は、現在時刻が所定の時刻である場合に映像を停止することを示すものであってもよい。また、音声条件は、現在時刻が所定の時刻である場合に音声を停止することを示すものであってもよい。このとき、判定部は、現在時刻に基づいて、映像条件が満たされたか否か、および、音声条件が満たされたか否かを判定する。
【００１１】
また、給電制御部は、判定部によって映像条件が満たされたと判定される状態から満たされないと判定される状態へと変化した場合、映像デコード部への給電を再開してもよい。このときさらに、給電制御部は、判定部によって音声条件が満たされたと判定される状態から満たされないと判定される状態へと変化した場合、音声デコード部への給電を再開してもよい。
【００１２】
なお、典型的には、映像データおよび音声データには、デコードを行うべきタイミングを示すデコードタイミングデータが含まれている。このとき、給電制御部は、映像デコード部への給電を再開する場合、受信された映像データに含まれているデコードタイミングデータにより示されるタイミングで給電を再開し、音声デコード部への給電を再開する場合、受信された音声データに含まれているデコードタイミングデータにより示されるタイミングで給電を再開する。
【００１３】
また、デジタル放送受信機は、映像デコード部および音声デコード部へ電力を供給する電池と、電池の残量を検出する残量検出部とをさらに備えていてもよい。このとき、条件格納部は、映像条件および音声条件の少なくとも一方について、残量検出部による検出結果に応じて異なる条件を格納する。
【発明の効果】
【００１４】
以上のように、本発明によれば、映像デコード部と音声デコード部とに対して、独立して給電の停止を行うようにする。これによって、電力の節約を従来より詳細な単位で行うことができるので、さらなる電力の節減を図ることができる。
【００１５】
なお、映像を停止するか否か、および音声を停止するか否かの判定を、放送内容に基づいて行う場合には、再生する必要がないと考えられる情報（映像または音声）を停止することが可能となるので、ユーザにとって不都合が生じない。また、映像を停止するか否か、および音声を停止するか否かの判定を、現在時刻に基づいて行う場合も同様の効果を得ることができる。
【００１６】
また、給電制御部がデコードタイミングデータにより示されるタイミングで給電を再開する場合には、電力をより節減することができる。また、正常に再生されない映像または音声を再生せずに済むので、ユーザに不快感を与えることがない。
【００１７】
また、残量検出部をさらに備える場合には、必要な場合にのみ電力の節約を図ることができる。
【発明を実施するための最良の形態】
【００１８】
（実施の形態１）
図１は、実施の形態１に係るデジタル放送受信機の構成を示すブロック図である。図１において、デジタル放送受信機は、復調部１１と、多重分離部１２と、判定部１３と、条件格納部１４と、給電制御部１５と、音声デコード部１６と、音声出力部１７と、映像デコード部１８と、映像出力部１９とを備えている。図１に示すデジタル放送受信機は、携帯型の機器であり、典型的には、テレビ放送受信機能を有する携帯電話として実現することが考えられる。
【００１９】
実施の形態１に係るデジタル放送受信機の詳細な動作を説明する前に、動作の概要を説明する。図１に示すデジタル放送受信機では、放送の内容や現在時刻に応じて、映像に関する処理および／または音声に関する処理のために要する電力を停止する。例えば、放送の内容がニュースであれば、映像を停止し、音声のみを出力する。すなわち、映像に関する処理のために要する電力を停止する。また、例えば、現在時刻がユーザの通勤時間帯（ユーザは電車に乗っているので、音声を出力してテレビを見ることができない状況等を想定している）であれば、映像を停止し、音声のみを出力する。このように、実施の形態１に係るデジタル放送受信機は、映像情報および音声情報を提供する際に、映像および音声を単位として電力の供給を制御するものである。これによって、従来に比べて電力消費をより詳細に節減することが可能となり、デジタル放送受信機の消費電力をより低減することができる。以下、実施の形態１に係るデジタル放送受信機の詳細な動作を説明する。
【００２０】
復調部１１は、典型的にはチューナであり、図示しないアンテナを介して受信された放送データ（放送信号）に対する同調や復調の処理を行う。デジタル放送において用いられるＭＰＥＧ技術では、復調部１１による復調によってトランスポートストリームが得られる。このトランスポートストリームには、放送される番組の映像データ、音声データの他、放送される番組に関する情報を示す番組データが多重されている。なお、番組データには、番組案内等の情報の他、番組中において提供される文字情報等を含むものとする。多重分離部１２は、復調部１１から出力されたトランスポートストリームを、映像データ、音声データおよび番組データに分離して出力する。映像データは映像デコード部１８へ出力され、音声データは音声デコード部１６へ出力される。また、番組データは判定部１３へ出力される。
【００２１】
音声デコード部１６は、音声データをデコードして音声出力部１７へ出力する。音声出力部１７は、典型的にはスピーカであり、番組の音声を出力する。映像デコード部１８は、映像データをデコードして映像出力部１９へ出力する。映像出力部１９は、典型的には液晶表示装置等の表示装置であり、番組の映像を表示する。以上の構成によって、デジタル放送受信機で受信された番組の映像および音声が出力される。なお、上記番組データに文字情報のデータが含まれている場合には、当該文字情報が番組の映像とともに表示装置に表示されるが、図１では詳細な構成は図示していない。
【００２２】
一方、判定部１３は、受信している放送データについて、映像を停止するか否か、および、音声を停止するか否かを判定する。この判定は、条件格納部１４に格納される映像条件および音声条件を参照して行われる。ここで、映像条件とは、番組の映像を停止する条件である。また、音声条件とは、番組の音声を停止する条件である。判定部１３は、映像条件が満たされたか否かを判定することによって、映像を停止するか否かを判定する。また、判定部１３は、音声条件が満たされたか否かを判定することによって、音声を停止するか否かを判定する。なお、判定部１３の詳細な処理の流れは、後述する図４に示す。
【００２３】
図２は、条件格納部１４に格納される映像条件および音声条件の一例を示す図である。図２に示される映像条件および音声条件は、所定の内容の放送データを受信した場合に映像および／または音声を停止することを示す条件である。図２においては、放送される内容を示す放送内容情報（左側の行の各欄）と、映像条件（右側の行の各欄の上段）および音声条件（右側の行の各欄の下段）とが対応付けて格納される。例えば、「ニュース」という放送内容情報に対して、「映像：ＯＦＦ」という映像条件と、「音声：ＯＮ」という音声条件とが対応付けられる。この条件は、放送される内容がニュースである場合、映像を停止し、音声のみを出力することを示す。従って、ニュース番組を再生する際には、映像に関する処理を行う構成要素、すなわち、映像デコード部１８および映像出力部１９への給電が停止される。このとき、ニュース番組の音声のみが出力されることとなる。これと同様に、図２においては、放送される内容が天気予報である場合、音声に関する処理を行う構成要素、すなわち、音声デコード部１６および音声出力部１７への給電が停止される。このとき、天気予報の映像のみが出力されることとなる。また、放送内容がＣＭの場合、映像デコード部１８および映像出力部１９への給電、ならびに音声デコード部１６および音声出力部１７への給電が停止される。つまり、ＣＭ中は映像も音声も出力されない。
【００２４】
図３は、条件格納部１４に格納される映像条件および音声条件の他の一例を示す図である。図３に示される映像条件および音声条件は、現在時刻が所定の時刻である場合に音声を停止することを示す条件である。図３においては、映像条件および／または音声条件を適用する時刻を示す時刻情報（左側の行の各欄）に対して、映像条件（右側の行の各欄の上段）および音声条件（右側の行の各欄の上段）が対応付けて格納される。例えば、時刻「７：３０〜８：００」に対して、「映像：ＯＮ」という映像条件と、「音声：ＯＦＦ」という音声条件とが対応付けられる。この条件は、現在時刻が７：３０から８：００までの間である場合、音声を停止し、映像のみを出力することを示す。従って、７：３０から８：００までの間は、音声デコード部１６および音声出力部１７への給電が停止される。このとき、放送される番組は映像のみが出力されることとなる。なお、図３の映像条件および音声条件は、例えばユーザの通勤時間帯においてはユーザが電車内（つまり、音声を出力してテレビを試聴することができない状況）にいることを想定し、音声を停止するものである。
【００２５】
上記のような映像条件および音声条件に従って、判定部１３は、映像を停止するか否か、および、音声を停止するか否かを判定する。この判定結果は、給電制御部１５へ出力される。給電制御部１５は、判定部１３による判定結果に従い、映像に関する処理を行う構成要素および／または音声に関する処理を行う構成要素への給電を制御する。すなわち、給電制御部１５は、判定部１３によって映像条件が満たされたと判定された場合、映像デコード部１８および映像出力部１９への給電を停止し、判定部１３によって音声条件が満たされたと判定された場合、音声デコード部１６および音声出力部１７への給電を停止する。
【００２６】
以下、デジタル放送受信機によって放送データの受信が開始された後における動作を、判定部１３の動作を中心に詳細に説明する。なお、ここでは、映像条件および音声条件が、図２に示す放送内容に関する条件である場合を例として説明する。図４は、図１に示す判定部１３の処理の流れを示すフローチャートである。デジタル放送受信機によって放送データの受信が開始されると、まず、判定部１３は、多重分離部１２から出力されてくる番組データに基づいて、放送されている内容を特定する（ステップＳ１）。具体的には、番組データによって示される番組名や番組のジャンル等に基づいて、放送されている内容を特定する。
【００２７】
ステップＳ１の次に、判定部１３は、条件格納部１４に格納されている映像条件および音声条件の中に、ステップＳ１で特定された放送内容に関する条件があるか否かを判定する（ステップＳ２）。この判定において、ステップＳ１で特定された放送内容に関する条件がないと判定されることは、現在受信している放送の内容については映像条件および音声条件が設定されていないことを意味する。従って、このとき、判定部１３はステップＳ１の処理に戻る。そして、ステップＳ１およびＳ２の処理を繰り返す。ステップＳ１およびＳ２の処理が繰り返される間に受信されている放送データは、通常通り、映像および音声ともに出力される。一方、ステップＳ２の判定において、ステップＳ１で特定された放送内容に関する条件があると判定された場合、ステップＳ３の処理に進む。
【００２８】
ステップＳ３以降の処理において、判定部１３は、ステップＳ１において特定された放送内容について設定されている映像条件および音声条件が満たされているか否かをそれぞれ判定する。すなわち、まず、判定部１３は、ステップＳ１において特定された放送内容について設定されている音声条件が満たされているか否かを判定する（ステップＳ３）。この判定において、音声条件が満たされていると判定される場合、判定部１３は、給電制御部１５に対して給電の停止を指示する（ステップＳ４）。この指示に応じて、給電制御部１５は、音声デコード部１６および音声出力部１７への給電を停止する。ステップＳ４の後、ステップＳ７の処理が行われる。
【００２９】
一方、ステップＳ３の判定において、音声条件が満たされていないと判定される場合、判定部１３は、音声に関して給電が停止されているか否か、すなわち、音声デコード部１６および音声出力部１７について給電が停止されているか否かを判定する（ステップＳ５）。この判定の具体的な方法としては、例えば、給電停止中か否かを示す情報を給電制御部１５において保持しておき、判定部１３が当該情報を検出することによって当該判定を行うことができる。ステップＳ５の判定において、音声に関して給電が停止されていると判定される場合、判定部１３は、給電制御部１５に対して給電の再開を指示し（ステップＳ６）、ステップＳ７の処理へ進む。この指示に応じて、給電制御部１５は、音声デコード部１６および音声出力部１７への給電を再開する。一方、ステップＳ５の判定において、音声に関して給電が停止されていないと判定される場合、判定部１３は、ステップＳ６の処理をスキップしてステップＳ７の処理を行う。
【００３０】
次に、ステップＳ７以降の処理において、判定部１３は、ステップＳ１において特定された放送内容について設定されている映像条件が満たされているか否かをそれぞれ判定する。なお、ステップＳ７〜Ｓ１０の処理は、音声であるか映像であるかという点で異なる以外は、ステップＳ３〜Ｓ６までの処理と同様である。すなわち、判定部１３は、ステップＳ１において特定された放送内容について設定されている映像条件が満たされているか否かを判定する（ステップＳ７）。この判定において、映像条件が満たされていると判定される場合、判定部１３は、給電制御部１５に対して給電の停止を指示する（ステップＳ８）。この指示に応じて、給電制御部１５は、映像デコード部１８および映像出力部１９への給電を停止する。ステップＳ８の後、ステップＳ１の処理に戻る。
【００３１】
一方、ステップＳ７の判定において、映像条件が満たされていないと判定される場合、判定部１３は、映像に関して給電が停止されているか否か、すなわち、映像デコード部１８および映像出力部１９は給電が停止されているか否かを判定する（ステップＳ９）。この判定は、ステップＳ５と同様の方法を用いて行うことができる。ステップＳ９の判定において、映像に関して給電が停止されていると判定される場合、判定部１３は、給電制御部１５に対して給電の再開を指示し（ステップＳ１０）、ステップＳ１の処理へ戻る。この指示に応じて、給電制御部１５は、映像デコード部１８および映像出力部１９への給電を再開する。一方、ステップＳ９の判定において、映像に関して給電が停止されていないと判定される場合、判定部１３は、ステップＳ１０の処理をスキップしてステップＳ１の処理を行う。
【００３２】
以上のように、判定部１３は、ステップＳ１〜Ｓ１０の処理を繰り返すことによって、定期的に映像条件および音声条件が満たされたか否かをそれぞれ判定する。なお、他の実施の形態においては、デジタル放送受信機において放送内容が変化したか否かを判定するようにしておき、放送内容が変化したことに応じてステップＳ１〜Ｓ１０の処理を行うようにしてもよい。
【００３３】
以上のように、実施の形態１によれば、映像に関する処理と音声に関する処理とに対して、独立して給電の停止を行う。これによって、電力の節約を従来より詳細な単位で行うことができるので、さらなる電力の節減を図ることができる。さらに、実施の形態１によれば、映像を停止するか否か、および音声を停止するか否かの判定を、放送内容に基づいて行う。ここで、放送の内容によっては、映像のみ再生すればユーザにとって十分である場合や、音声のみ再生すればユーザにとって十分である場合が考えられる。従って、放送内容に基づいて上記判定を行うことによって、再生する必要がないと考えられる情報（映像または音声）を停止することとなるので、ユーザにとって不都合が生じない。
【００３４】
なお、実施の形態１においては、放送の内容に関する条件を映像条件および音声条件とした（図２参照。）。ここで、他の実施の形態においては、図３に示すような、時刻に関する条件を映像条件および音声条件として用いてもよい。具体的には、図４に示すステップＳ１において、判定部１３は、放送内容を特定する変わりに、現在時刻を検出する。この場合、判定部１３は、多重分離部１２から放送データを取得する必要がない。このように、時刻に関する条件を映像条件および音声条件として用いる場合も、上記実施の形態１と同様の効果を得ることができる。
【００３５】
（実施の形態２）
次に、実施の形態２に係るデジタル放送受信機について説明する。ここで、放送データに含まれている映像データおよび音声データは一般的に圧縮されて送信されるので、これらのデータには映像を正常に再生することができるタイミングが存在する。例えば、ＭＰＥＧの規格に従って放送データが圧縮されている場合、ＧＯＰ（Ｇｒｏｕｐ  ｏｆ  Ｐｉｃｔｕｒｅ）単位でデコードすることによって映像を正常に再生することができる。しかし、上記実施の形態１では、このようなタイミングを考慮せずに給電の再開を行うので、給電を再開した直後に再生される映像や音声が正常に再生されない場合が考えられる。そこで、実施の形態２では、正常に再生可能なタイミングで給電を再開する。
【００３６】
図５は、実施の形態２に係るデジタル放送受信機の構成を示すブロック図である。図５に示すデジタル放送受信機の構成は、給電制御部１５の構成が異なる点、および多重分離部１２と給電制御部１５とが接続されている点以外は、図１に示す構成と同様である。そこで、以下では、図１に示すデジタル放送受信機との相違点を中心に、実施の形態２に係るデジタル放送受信機の動作を説明する。
【００３７】
図５において、給電制御部１５は、指示受付部５１と給電部５２とを備えている。なお、以下の説明では、判定部１３から出力される指示が給電を再開する旨の指示である場合を考える。給電を停止する旨の指示が判定部１３から出力される場合の動作については実施の形態１と同様であるので、説明を省略する。給電を再開する旨の指示は、指示受付部５１によって受け付けられる。なお、以下の説明では、判定部１３が、映像デコード部１８および映像出力部１９に対して行う指示を出力する場合を説明する。ただし、音声デコード部１６および音声出力部１７に対する指示を出力する場合も同様である。指示受付部５１は、給電を再開する旨の指示を受け付けると、多重分離部１２から放送データを取得する。さらに、取得した放送データに含まれているデコードタイミングデータに基づいて、給電部５２に対して給電を開始する旨の指示を行う。なお、デコードタイミングデータとは、デコードを行うべきタイミングを示すデータである。つまり、デコードタイミングデータにより示されるタイミングでデコードを行えば、正常に映像または音声を再生することができる。指示受付部５１は、このデコードタイミングを用いて、映像デコード部１８がデコードを正常に行うことが可能なタイミングで給電が行われるように上記指示を行う。なお、デコードタイミングデータには、チャンネル切り替えを正常に行うタイミングを示すデータとして従来から放送データに含められているデータを用いることができる。
【００３８】
以上のように、実施の形態２によれば、給電の再開は、映像条件または音声条件が満たされなくなったと判定されるタイミングではなく、映像または音声が正常に再生できるタイミングを待って行われることとなる。従って、正常に再生されない映像または音声を再生するための無駄な給電を行わないので、電力をより節減することができる。また、正常に再生されない映像または音声を再生せずに済むので、ユーザに不快感を与えることがない。
【００３９】
（実施の形態３）
次に、実施の形態３に係るデジタル放送受信機について説明する。実施の形態３は、電池の残量に応じて映像条件および／または音声条件を変化させるものである。
【００４０】
図６は、実施の形態３に係るデジタル放送受信機の構成を示すブロック図である。図６に示すデジタル放送受信機の構成は、残量検出部６１をさらに備える点以外は、図１に示す構成と同様である。残量検出部６１は。デジタル放送受信機の電力供給源である電池（図示していない。）の残量を検出する。検出結果は、判定部１３に出力される。
【００４１】
また、実施の形態３においては、条件格納部１４は、映像条件および音声条件について、残量検出部６１による検出結果に応じて異なる条件を格納する。図７は、実施の形態３における条件格納部１４に格納される映像条件および音声条件の一例を示す図である。なお、図に示される映像条件および音声条件は、所定の内容の放送データを受信した場合に映像および／または音声を停止することを示す条件である。図７においては、放送される内容を示す放送内容情報（左側の行の各欄）と、電池残量が多い場合の映像条件および音声条件（中央の行の各欄）、および電池残量が少ない場合の映像条件および音声条件（右側の行の各欄）とが対応付けて格納される。
【００４２】
判定部１３は、映像条件または音声条件を判定する際（図４に示すステップＳ３またはＳ７）、残量検出部６１の検出結果を取得する。さらに、放送内容および当該検出結果に基づいて、映像条件または音声条件を判定する。すなわち、電池残量があらかじめ定められた所定にしきい値よりも大きい場合、判定部１３は、電池残量が多い場合の映像条件および音声条件（図７に示す中央の行）を用いて判定を行う。一方、電池残量があらかじめ定められた所定にしきい値よりも小さい場合、判定部１３は、電池残量が少ない場合の映像条件および音声条件（図７に示す右側の行）を用いて判定を行う。
【００４３】
以上のように、実施の形態３によれば、電池残量の多少に応じて、映像条件および音声条件が変化する。従って、例えば、電池残量が多いときには映像および音声で番組を試聴し、電池残量が少なくなってくると音声を消す、というように、必要な場合にのみ電力の節約を図ることができる。なお、上記実施の形態では、映像条件および音声条件の双方を電池残量の多少に応じて変化する場合について説明したが、いずれか一方のみが変化するものであってもよい。
【００４４】
なお、実施の形態３においても、給電制御部１５を実施の形態２に示す構成としてもよい。これによっても、実施の形態２と同様の効果を得ることができる。
【００４５】
なお、実施の形態１〜３においては、映像条件が満たされた場合、映像デコード部１８および映像出力部１９の双方への電力供給を停止した。ここで、他の実施の形態においては、映像条件が満たされた場合、映像デコード部１８のみへの電力供給を停止するようにしてもよい。映像デコード部１８への電力供給のみを停止する場合、映像出力部１９への電力供給は停止されないので、映像データ以外の情報である文字情報を映像出力部１９によって出力することができる。このように、放送データに含まれている文字情報のみを出力することを目的として、映像出力部１９への電力供給を停止しないようにしてもよい。なお、映像条件が満たされた場合と同様、音声条件が満たされた場合についても、音声デコード部１６のみへの電力供給を停止するようにしてもよい。
【産業上の利用可能性】
【００４６】
以上のように、本発明は、携帯型のデジタル放送受信機における消費電力をより節減すること等を目的として利用することができる。
【図面の簡単な説明】
【００４７】
【図１】実施の形態１に係るデジタル放送受信機の構成を示すブロック図
【図２】条件格納部１４に格納される映像条件および音声条件の一例を示す図
【図３】条件格納部１４に格納される映像条件および音声条件の他の一例を示す図
【図４】図１に示す判定部１３の処理の流れを示すフローチャート
【図５】実施の形態２に係るデジタル放送受信機の構成を示すブロック図
【図６】実施の形態３に係るデジタル放送受信機の構成を示すブロック図
【図７】実施の形態３における条件格納部１４に格納される映像条件および音声条件の一例を示す図
【符号の説明】
【００４８】
１３  判定部
１４  条件格納部
１５  給電制御部
１６  音声デコード部
１７  音声出力部
１８  映像デコード部
１９  映像出力部
【図１】
2005094354.tif 000003
【図２】
2005094354.tif 000004
【図３】
2005094354.tif 000005
【図４】
2005094354.tif 000006
【図５】
2005094354.tif 000007
【図６】
2005094354.tif 000008
【図７】
2005094354.tif 000009